(57)【特許請求の範囲】
【請求項１】
簡単な撮影機構を内蔵したユニット本体に未露光の写真フイルムが予め収納されたレンズ付きフイルムユニットにおいて、
撮影時に外部から操作され、前記写真フイルムの撮影コマ毎に指定すべきプリント写真の色調に応じた位置にセットされる操作部材と、この操作部材の位置に応じた個数のドットからなるコードを撮影コマ毎に写真フイルムに光学的に写し込む色調コード露光手段とを備えるとともに、前記写真フイルムには、フイルムデータが予め記録され、このフイルムデータは、プリント写真の色調が指定される写真フイルムであることを示すとともに、前記コードによって指定しようとする色調の組み合せを示し、記録されたフイルムデータと記録するコードとによってプリント写真の色調が撮影コマ毎に決定されることを特徴とするレンズ付きフイルムユニット。
【請求項２】
前記フイルムデータは、光学的に潜像として記録されていることを特徴とする請求項１記載のレンズ付きフイルムユニット。
【請求項３】
前記写真フイルムは、カラーフイルムであることを特徴とする請求項１または２記載のレンズ付きフイルムユニット。
【請求項４】
前記コードによって指定されるプリント写真の色調は、カラ−，黒白及び調色された色であることを特徴とする請求項３記載のレンズ付きフイルムユニット。
【請求項５】
プリンタによるプリント写真の作成時に写真フイルムに記録されたフイルムデータを検出し、そのフイルムデータがプリント写真の色調が指定されることを示すとともに、各撮影コマのそれぞれに対して光学的に記録されたドットマークの個数によって指定しようとする色調の組み合せを示すものである際には、それぞれの撮影コマに対して記録されたドットマークの個数と前記フイルムデータによって決まる色調のプリント写真を各撮影コマについて作成するように前記プリンタを制御することを特徴とするプリント写真作成方法。
【請求項６】
前記プリンタは、前記撮影コマの画像を光電変換して画像データとして取り込み、この画像データに基づいて印画紙に画像を光学的に露光するデジタルプリンタが用いられ、前記画像データに対してフイルムデータとドットマークの個数に応じた処理を行うことにより、フイルムデータとドットマークの個数に基づいた色調のプリント写真を作成することを特徴とする請求項５記載のプリント写真作成方法。
【発明の詳細な説明】
【０００１】
【発明の属する技術分野】
本発明は、レンズ付きフイルムユニット及びプリント写真作成方法に関するものである。
【０００２】
【従来の技術】
簡単な撮影機構を内蔵したユニット本体に未露光の写真フルイルムを収納したレンズ付きフイルムユニットが販売されており、広く利用されている。また、プリント写真の魅力や楽しみをより一層一般のユーザーに広げるために、カラーのプリント写真の他に、例えばセピア色に調色されたプリント写真、黒白プリント写真を得られるようにしたそれぞれ専用のレンズ付きフイルムユニットが知られている。
【０００３】
例えば黒白プリント用のレンズ付きフイルムユニットでは、白黒フイルムが予め内蔵されており、このレンズ付きフイルムユニットから取り出された撮影済の白黒フイルムは、現像所で白黒用の現像処理が行われ、この後に白黒用の印画紙への焼き付けが行われ、この印画紙に通常の現像処理を行うことで黒白プリントが作成される。また、調色用のレンズ付きフイルムユニットでは、例えば白黒のレンズ付きフイルムユニットと同様に現像済の白黒フイルムから白黒用の印画紙に焼き付けが行われ、この後に調色用に調剤された現像液で印画紙の現像処理を行っている。これにより、印画紙上で画像を形成する銀化合物（粒子）を他の銀化合物（例えば、硫化銀）に変えてセピア色に調色されたプリント写真を作成している。
【０００４】
また、撮影レンズの前面にセピア色のフィルタを装脱することによって、カラーフイルムから、カラー写真とセピアのプリント写真を得るようにしたカメラが知られている。
【０００５】
【発明が解決しようとする課題】
ところで、上記のようにして色調を変えたプリント写真を得るようにしたレンズ付きフイルムユニットからは、黒白プリントと調色プリント写真を作成することはできるが、カラーのプリント写真を作成すことはできない。このため、例えば黒白用や調色用のレンズ付きフイルムユニットを購入したユーザは、カラーのプリント写真を作成したい場合には、カラー用のレンズ付きフイルムユニットやカメラを別途用意して撮影を行わなくてはならないといった問題があった。
【０００６】
また、カラーフイルムからは、白黒，セピア等に調色したプリント写真を作成することができるが、この場合には現像所に対して適切な指示を与えなくてはならず面倒である。もちろん、フィルタを装着して撮影されたカラーフイルムの撮影コマからは、カラーのプリント写真を作成することはできない。
【０００７】
一方、現像所等では、写真フイルムが収納されているパトローネやカートリッジに記された調色の指示や写真フイルムの種類に基づいて、現像処理のために写真フイルムを仕分けしたり、現像処理の工程を変えなくてはならないので作業が煩雑化してしまう。
【０００８】
本発明は上記問題点を解消するためになされたものであり、一本の写真フイルムからカラー，白黒，セピア色等の色調の異なるプリント写真が簡単に作成できるとともに、現像処理の作業性を高くしたレンズ付きフイルムユニット及びプリント写真作成方法を提供することを目的とする。
【０００９】
【課題を解決するための手段】
撮影時に外部から操作され、前記写真フイルムの撮影コマ毎に指定すべきプリント写真の色調に応じた位置にセットされる操作部材と、この操作部材の位置に応じた個数のドットからなるコードを撮影コマ毎に写真フイルムに光学的に写し込む色調コード露光手段とを備えるとともに、前記写真フイルムには、フイルムデータが予め記録され、このフイルムデータは、プリント写真の色調が指定される写真フイルムであることを示すとともに、前記コードによって指定しようとする色調の組み合せを示し、記録されたフイルムデータと記録するコードとによってプリント写真の色調を撮影コマ毎に決定するようにしたものである。
【００１０】
請求項２記載のレンズ付きフイルムユニットでは、フイルムデータを、光学的に潜像として記録したものである。また、請求項３記載のレンズ付きフイルムユニットでは、写真フイルムを、カラーフイルムとしたものであり、請求項４記載レンズ付きフイルムユニットでは、写真フイルムとしてカラーフイルムを用い、コードによって指定されるプリント写真の色調を、カラ−，黒白及び調色された色としたものである。
【００１１】
請求項５記載のプリント写真作成方法では、プリンタによるプリント写真の作成時に写真フイルムに記録されたフイルムデータを検出し、そのフイルムデータがプリント写真の色調が指定されることを示すとともに、各撮影コマのそれぞれに対して光学的に記録されたドットマークの個数によって指定しようとする色調の組み合せを示すものである際には、それぞれの撮影コマに対して記録されたドットマークの個数と前記フイルムデータによって決まる色調のプリント写真を各撮影コマについて作成するように前記プリンタを制御するようにしたものである。また、請求項６記載のプリント写真作成方法では、プリンタとして、撮影コマの画像を光電変換して画像データとして取り込み、この画像データに基づいて印画紙に画像を光学的に露光するデジタルプリンタを用い、前記画像データに対してフイルムデータとドットマークの個数に応じた処理を行うことにより、フイルムデータとドットマークの個数に基づいた色調のプリント写真を作成するようにしたものである。
【００１２】
【発明の実施の形態】
図２に本発明を実施したレンズ付きフイルムユニットを示す。このレンズ付きフイルムユニット２は、各種の撮影機構が組み込まれ、予めフイルムカートリッジが装填されたユニット本体３と、このユニット本体３を部分的に覆うラベル４とから構成されている。
【００１３】
ユニット本体３の上面には、シャッタボタン６，カウンタ窓７が設けられ、前面にはフィンダ８，撮影レンズ９，充電ボタン１０、ストロボ発光部１１等の他、後述するレバー１２が設けられている。また、ユニット本体３の背面側には、巻き上げダイアル１３が露呈されている。ラベル４は、その裏面に接着剤が塗布されてユニット本体３の中央部分に貼付されており、各部に設けた開口からカウンタ窓７，ファインダ８の対物レンズ８ａ，撮影レンズ９等を外部に露呈させている。
【００１４】
レバー１２は、カラープリント，黒白プリント，セピアに調色されたセピアプリントの作成を撮影時に指定するとき、すなわち色調を指定するときに操作されるものであって、長孔１４に沿ってスライド自在になっている。ラベル４には、長孔１４の周辺に各々のプリント色を指定するときのレバー１２の位置を示す記号Ｃ（カラープリント），Ｂ／Ｗ（黒白プリント），Ｓ（セピアプリント）が印刷されている。
【００１５】
図３にユニット本体３の分解斜視図を示す。ユニット本体３は、本体基部１６，露光ユニット１７，ストロボユニット１８，前カバー１９，後カバー２０と、本体基部１６と前カバー１９との間に組み込まれた視野切り換え板２１と、この視野切り換え板２１に連動して、指定したプリント色に対応した色調コードを写真フイルム２４に写し込む色調コード露光手段とから構成されている。
【００１６】
本体基部１６の両端部には、未露光の写真フイルム２４をロール状にしたフイルムロールを収納するフイルムロール室２５と、撮影済の写真フイルム２４を巻き込むカートリッジ２６を収納するカートリッジ室２７とが形成されている。写真フイルム２４としては、カラーフイルムが用いられており、後述するようにこのレンズ付きフイルムユニット２に特有のＦＩＤコードが予め潜像として写し込まれている。
【００１７】
フイルムロール室２５とカートリッジ室２７との間には、写真フイルム２４のフイルム面に撮影コマのサイズ（露光範囲）を画定するアパーチャ２８が形成され、このアパーチャ２８の周囲には、前方に突出した遮光筒が設けられている。アパーチャ２８の下側には、写真フイルム２４の露光範囲の外側に色調コードを写し込むための２個の開口３１，３２が形成されている。
【００１８】
カートリッジ室２７の上部には、巻き上げダイアル１３が回動自在に配されている。この巻き上げダイアル１３は、その下部に一体に設けられた軸がカートリッジ室２７に収納されたカートリッジ２６のスプール２６ａの一端に係合されている。これにより、巻き上げダイアル１３を図中反時計方向に回動することにより、撮影済の写真フイルム２４がカートリッジ２６内に巻き取られる。
【００１９】
露光ユニット１７は、シャッタ機構，フイルム巻き止め機構，ファインダ８等をベース部３３に組み付けたものである。ベース部３３の前面には、撮影レンズ９を保持するレンズホルダ３４が取り付けられている。このレンズホルダ３４に一体に設けた支持軸３４ａには、視野切り換え板２１が回動自在に取り付けられている。この露光ユニット１７は、遮光筒の前面に組み付けられる。
【００２０】
前カバー１９には、シャッタボタン６，充電ボタン１０，長孔１４，ファインダ８の対物窓８ｂ等が形成されており、露光ユニット１７を覆うように本体基部１６の前面側に組み付けられる。後カバー２０は、写真フイルム２４とカートリッジ２６とをフイルムロール室２５とカートリッジ室２７とにそれぞれ収納した本体基部１６の背面側を覆う。この後カバー２０には、その底部に底蓋３５，３６が形成されており、これらの底蓋３５，３６によってフイルムロール室２５とカートリッジ室２７との底部が光密に閉じられる。
【００２１】
ストロボユニット１８は、ストロボ回路基板３８と、このストロボ回路基板３８に取り付けられたストロボ発光部１１，メインコンデンサ３９，一対のバッテリホルダ４０，シンクロスイッチ４１，電池４２，メインコンデンサ３９を高電圧で充電し、また放電させてストロボ発光を行うための各種の電気部品等とからなる。また、このストロボ回路基板３８には、色調コードを写し込むための光源となる発光ダイオード４５を含む色調コード露光回路５９（図４参照）が取り付けられている。
【００２２】
充電ボタン１０の背後には、充電スイッチ４６を構成する金属製の接片４６ａが配されており、充電ボタン１０を押圧することにより、接片４６ａがストロボ回路基板３８上のプリント接点対４６ｂに接触することによって充電スイッチ４６がＯＮとなる。シンクロスイッチ４１は、シャッタ羽根が全開する毎、すなわち撮影毎に一対の接片が接触することによりＯＮとなる。
【００２３】
視野切り換え板２１は、フィンダ８の視野をフイルタによって着色することにより、その視野が指定した色調に応じた色で観察できるようにするものであり、色がセピアのセピアフイルタ２１ａと，黒白フィルタ２１ｂがはめ込まれた開口が回転軸中心の周りに形成されているとともに、撮影レンズ９を露呈する円弧状の切り欠き２１ｃが形成されている。また、視野切り換え板２１の前面には、レバー１２が一体に形成されている。
【００２４】
レバー１２がＣ位置のときに、視野切り換え板２１は、対物レンズ８ａから退避しているので、ファインダ８の視野は着色されない。また、レバー１２がＳ位置のときには、セピアフィルタ２１ａが対物レンズ８ａの前面に挿入され、このセピアフィルタ２１ａにより、ファインダ８の視野がセピアに着色される。さらに、レバー１２がＢ／Ｗ位置のときには、黒白フィルタ２１ｂが対物レンズ８ａの前面に挿入され、この黒白フィルタ２１ｂにより、ファインダ８の視野が所定の色に着色される。なお、図示しないが、視野切り換え板２１には、Ｃ位置，Ｂ／Ｗ位置，Ｓ位置に正しくセットするためのクリック機構等が設けられている。
【００２５】
なお、フイルタを用いてファインダ８から被写体を黒白にして観察できるようにすることはできないから、黒白フイルタ２１ｂとしては、適当な色、例えばブルー等のものが用いられている。もちろん、各フィルタ２１ａ、２１ｂは、指定した色調を撮影者が認識するためのものであるから、それぞれ他の色を用いて認識させてもよい。さらに、フイルタを用いずに、指定した色調を文字等でファインダ８の視野内に表示するようにしてもよい。
【００２６】
色調コード露光手段は、前述した各開口３１，３２と色調コード露光回路５９の他、ライトガイド４８と色調コード切り換え手段とからなる。色調コード切り換え手段は、開口３１，３２を開閉して色調コードの写し込み態様を選択するものであり、開口３１，３２の周囲に形成された溝内に設けられたシート状のコード切り換え板４９と、このコード切り換え板４９に一端が連結された連動レバー５０とからなる。コード切り換え板４９には、開口窓４９ａが形成されている。ライトガイド４８は、コード切り換え板４９と発光ダイオード４５との間に配され、発光ダイオード４５からの光を開口３１，３２に導く。
【００２７】
連動レバー５０は、他端部が視野切り換え板２１の下部に連結されており、レバー１２の操作による視野切り換え板２１の回転にしたがって、コード切り換え板４９を左右方向にスライドさせる。そして、開口３１，３２に対して開口窓４９ａを移動して、コードの写し込み態様を選択する。
【００２８】
レバー１２がＣ位置にされたときには、コード切り換え板４９の開口窓４９ａが各開口３１，３２の間に移動した状態とされ、コード切り換え板４９の開口窓４９ａを挟む両側で各開口３１，３２がそれぞれ塞がれる。レバー１２がＢ／Ｗ位置にされたときには、開口窓４９ａが開口３２に対面する位置に、またコード切り換え板４９の端部が開口３１から退避した位置に移動した状態とされ、各開口３１，３２の両方が露呈される。さらに、レバー１２がＳ位置にされたときには、開口窓４９ａが各開口３１，３２から退避し、コード切り換え板４９の端部で開口３２だけが塞がれ、開口３１だけが露呈された状態となる。
【００２９】
これにより、発光ダイオード４５を光源として、レバー１２がＢ／Ｗ位置では色調コードとして２個のドットが、Ｓ位置では色調コードとして１個のドットがそれぞれ写真フイルム２４に写し込まれる。また、レバー１２がＣ位置では、色調コードのドットが写し込まれない。
【００３０】
図４に上記レンズ付きフイルムユニットの回路を示すように、ストロボユニット１８のストロボ回路は、前述したメインコンデンサ３９，シンクロスイッチ４１，電池４２，充電スイッチ４６の他に、ストロボ発光部１１内に配されたストロボ放電管５０，発振トランジスタ５１，発振トランス５２，トリガコンデンサ５３，トリガコイル５４，ネオン管５５等から構成されている。
【００３１】
発振トランジスタ５１及び発振トランス５２は、電池４２の低電圧を高電圧に変換するブロッキング発振回路を構成しており、充電スイッチ４６がＯＮとなっている間に作動して、発振トランス５２の二次コイル５２ｂに一次コイル５２ａとの巻線比に応じた高電圧を発生する。この高電圧による充電電流が整流用ダイオード５６を介して流れ、メインコンデンサ３９とトリガコンデンサ５３とが充電される。
【００３２】
シンクロスイッチ４１がＯＮとなると、充電されたトリガコデンサ５３が放電し、このときにトリガコイル５４で発生するトリガ電圧がトリガ電極５０ａを介してストロボ放電管５０に印加されることにより、メインコンデンサ３９がストロボ放電管５０内で放電する。これにより、ストロボ放電管５０が発光して、ストロボ光がストロボ発光部１１から照射される。
【００３３】
色調コード露光回路５９は、上述のストロボ回路に組み込まれている。この色調コード露光回路５９では、ストロボ発光の有無にかかわらず、シンクロスイッチ４１がＯＮとなると第１トランジスタ５９ａがＯＮとなる。第１トランジスタ５９ａがＯＮとなると、充電スイッチ４６と並列に接続された第２トランジスタ５９ｂがＯＮとなって、ブロッキング発振回路が作動される。発光ダイオード４５は、一次コイル５２ａの一方の端子とグランドとの間（発振トランジスタ５１のコレクタ・エミッタ間）に第１トランジスタ５９ａを介して接続されており、第１トランジスタ５９ａがＯＮとなっている間に発振トランジスタ５１のコレクタ・エミッタ間電圧が印加される。
【００３４】
発振トランジスタ５１のコレクタ・エミッタ間電圧は、ブロッキング発振回路の作動中にその発振動作に同期してパルス状に６〜７Ｖ程度までに上昇するから、発光ダイオード４５は、撮影毎にシンクロスイッチ４１がＯＮとなっている間に発光する。なお、この回路の詳細については、本出願人により提案されている特開平８−２４８５７２号公報に記載されている。もちろん、色調コードを露光するための構成は、これに限らない。
【００３５】
上記のように構成されたレンズ付きフイルムユニット２は、本出願人から提案されているプリント写真の作成時のプリント範囲を指定するプリント範囲コードを撮影時に写し込むレンズ付きフイルムユニットと基本的な構成が同じされている。
【００３６】
すなわち、プリント範囲を指定できるレンズ付きフイルムユニットでは、撮影時には写真フイルムに対して単一のサイズで全撮影コマを露光するとともに、各撮影コマ毎に撮影者が意図したプリント写真のアスペクト比を指定するプリント範囲コードを露光範囲外に写し込む。そして、このレンズ付きフイルムユニット２の色調コードとプリント範囲コードとは、目的が違うものの同じ形態で同じ位置に写し込まれる。
【００３７】
これにより、プリント範囲コードと色調コードとを写し込む各レンズ付きフイルムユニットの部品をほとんどを共通化でき、製造コストを削減することが可能となるが、写真フイルムに写し込まれたドットだけではこれらがどちらの情報を表しているかを判別できない。
【００３８】
このため、レンズ付フイルムユニット２に用いられる写真フイルム２４は、色調が指定されるフイルムであることを表したデータ（以下、色調フイルムデータという）が予め記録されている。図５（ａ）に示すように、写真フイルム２４の長手方向の両端部分の縁部には、それぞれバーコード６０が潜像として製造時に記録されている。図５（ｂ）にバーコード６０の一例を拡大して示すように、バーコード６０は、データトラック６０ａと、このデータトラック６０ａを読み取る際の同期用として用いられるクロックトラック６０ｂとからなる。なお、図５（ａ）中の符号６３は、ＦＩＤコードの各情報を数字、文字等によって記録したものであり、現像後にはこれを現像作業者等が直接に読み取ることができる。
【００３９】
データトラック６０ａは、写真フイルム２４の長手方向に一定の幅を持った黒ビット６１ａと白ビット６１ｂとから構成され、これらを所定のパターンで配列することによりＦＩＤコードを表現している。このＦＩＤコードは、通常、写真フイルムの１本毎に付与されたＩＤ番号及び撮影可能コマ数の情報を表しているが、上記のレンズ付きフイルムユニット２に用いられる写真フイルム２４のＦＩＤコードには、前述の色調フイルムデータが含まれる。例えば、この例ではデータトラック６０ａ中で従来使用されていなビット６２を黒ビットとすることにより、色調フイルムデータをＦＩＤコードに含ませている。このＦＩＤコード中の色調フイルムデータにより、撮影範囲の外側に写し込まれたビットが色調コードのものであるか否かが識別可能となる。
【００４０】
なお、それぞれの写真フイルム２４に付与されるＩＤ番号が特定の範囲のＩＤ番号になっている場合やＩＤ番号の組み合わせが特定の組み合わせになっている場合に、その写真フイルムが色調が指定されるフイルムであることを表すようにして間接的に色調フイルムデータをＦＩＤデータに含ませてもよい。もちろん、ＦＩＤコード以外の部分に色調フイルムデータを記録してもよく、ＦＩＤコードのフォーマットを新たに規定してもよい。
【００４１】
また、このレンズ付きフイルムユニット２に用いられている写真フイルム２４は、現在市販されているＡＰＳ用のものであり、ベース面側に透明な磁気層によって各種のデータを磁気データとして記録する磁気トラックが設けられているので、この磁気トラックに磁気情報として色調フイルムデータを予め記録するようにしてもよい。さらに、黒ビット６１ａ，白ビット６１ｂの表現は、透過型のフォトセンサからの光電信号に基づいて低濃度ビット，高濃度ビットとして検出し得る意味で用いたもので、必ずしも黒色のビット、白色のビットのみを意味するものではない。
【００４２】
図６は、写真フイルム２４からプリント写真を作成するデジタルプリンタの構成を示すものである。このデジタルプリンタは、上述の写真フイルム２４の他に、通常のカラー（ネガ・ポジ）の写真フイルム、白黒の写真フイルム，プリント範囲コードが記録された写真フイルムからそれぞれ所定のプリント写真を作成することができる。
【００４３】
デジタルプリンタ６３は、大別して入力部６４と出力部６５とからなり、入力部６４は、第１コードリーダ６６，第２コードリーダ６７，写真フイルム２４の撮影コマからカラー画像を読み取るスキャナ６８、画像メモリ６９、画像処理回路７０、及びこれらを制御するコントローラ７１等からなる。
【００４４】
デジタルプリンタ６３にカートリッジ２６がセットされると、このカートリッジ２６から現像済の写真フイルム２４が図示しない搬送機構によって送りだされ、第１及び第２コードリーダ６６，６７を介してスキャナ６８に送られる。この搬送の際に、第１コードリーダ６６は、写真フイルム２４からバーコード６０のデータトラック６０ａからＦＩＤコードを光学的に読み取る。このＦＩＤコードの読み取りは、写真フイルム１本毎に行われる。また、第２コードリーダ６７は、撮影コマ毎に色調コードを読み取る。これら読み取られた各コードは、コントローラ７１に送られる。コントローラ７１は、ＦＩＤコードの中に色調フイルムデータを検出した場合には、色調コードに基づいて画像処理回路７０を制御する。
【００４５】
スキャナ６８は、フイルムキャリア，ランプ、このランプからの光を拡散してフイルムキャリアにセットされている撮影コマを照明する拡散ボックス、撮影コマを読み取るＣＣＤ、撮影コマのカラー画像をＣＣＤ上に結像させるレンズ等とから構成されている。このスキャナ６８は、写真フイルム２４が１コマ分送られる毎に、ＣＣＤでカラー画像を赤色、青色、緑色で３色分解測光し、得られる光電信号をＡ／Ｄ変換器７２に送る。
【００４６】
Ａ／Ｄ変換器７２は、各色の光電信号をデジタル変換することにより、撮影コマのカラー画像を３色の画像データに変換する。３色の画像データは、画像メモリ６９に書き込まれる。画像処理回路７０は、画像メモリ６９に１コマ分の画像データが書き込まれると、これを読み出してコントローラ７１の制御によって所定の画像処理を行う。
【００４７】
例えば、ＦＩＤコードに色調フイルムデータが含まれた写真フイルム２４である場合には、画像処理回路７０は、処理対象の撮影コマの色調コードに基づいて、色調を変える画像処理とプリント用の色補正等を行う。もちろん、色調コードによってカラープリントが指定されている撮影コマに対しては、色調をを変える処理を行わず、プリント用の色補正やネガ・ポジ反転処理等を行う。これにより、撮影コマの画像は、色調コードで指定されたカラー、黒白、セピア調の色に変換される。
【００４８】
なお、この例ではカラー画像をセピアの色調に変換する場合には、変換された画像がモノートンとされるが、セピアがかったカラー画像を作成するようにしてもよい。
【００４９】
また、ＦＩＤコードに色調フイルムデータが含まれていないとともに、プリント範囲コードが記録されている写真フイルムである場合には、撮影コマ毎に記録されているコードがプリント範囲コードとして第２コードリーダ６７で読み取られ、画像処理回路７０は、画像メモリ６９からの画像データに対してプリント範囲を変更する処理を行う。
【００５０】
出力部６５は、画像メモリ７３，赤色、青色、緑色の各レーザ光を出力するレーザユニット７４、このレーザユニット７４の出力を画像メモリ７３の処理済画像データに応じて制御するドライバ７５，ポリゴンミラー７６，Ｆθレンズ７７、長尺のカラー印画紙７８を搬送する搬送機構（図示せず）等から構成されている。
【００５１】
この出力部６５により、カラー印画紙７８がその長手方向に搬送されている間に、高速回転するポリゴンミラー７６によるレーザ光の走査によって、カラー印画紙７８に撮影コマの画像が露光される。露光されたカラー印画紙７８は、現像処理の後に１個の画像毎に切り分けられてプリント写真とされる。
【００５２】
このようにしてデジタルプリンタを用いると、容易に色調を変えたプリント写真を作成できる他に、高精度な画像の補正ができ、高画質のプリント写真を容易に作成することができる。また、２絞り程度の露出アンダーな撮影コマからでも補正を行って高画質のプリント写真を作成することができるので、メインコンデンサ３９として小容量の小型なものを用いてストロボ光量を小さくしても高画質のプリント写真を作成することが可能となるのから、レンズ付きフイルムユニット２のコストを低くすることができるといった利点も生まれる。
【００５３】
次に上記構成の作用について説明する。図１に示されるように、色調を指定するレンズ付きフイルムユニット２に装填される写真フイルム２４には、その製造時に色調フイルムデータを含ませたＦＩＤコードがバーコード６０の潜像として記録される。
【００５４】
バーコード６０が記録された写真フイルム２４は、カートリッジ２６とともにユニット本体３に装填される。そして、完成したユニット本体３にラベル４が貼付されたレンズ付きフイルムユニット２が出荷され、ユーザのもとで撮影に供される。
【００５５】
撮影を行う際には、まず巻き上げダイアル１３を回動操作する。これにより、写真フイルム２４が１コマ分巻き上げられるとともに、シャッタチャージが行われる。この後、撮影者は、被写体の種類や意図する作風に応じてレバー１２を操作して、これをＣ，Ｂ／Ｗ，Ｓのいずれかの位置にセットする。
【００５６】
このレバー１２の操作により、視野切り換え板２１が回動され、ファインダ８の視野範囲が指定した色調に応じた色の視野となる。また、視野切り換え板２１の回動により、連結レバー５０を介してコード切り換え板４９が指定された色調に応じた位置にスライド移動される。
【００５７】
撮影者は、ファインダ８を覗いてフレーミングを行った後に、シャッタボタン６を押圧する。また、ストロボ撮影を行う場合には、充電ボタン１０を押圧して、充電完了後にシャッタボタン６を押圧する。シャッタボタン６の押圧により、シャッタ機構が作動されて、撮影コマが露光される。また、このときにシャッタ羽根が全開すると、シンクロスイッチ４１がＯＮとなる。そして、メインコデンサ３９が充電されていればストロボ発光が行われる。
【００５８】
さらに、ストロボ発光の有無にかかわらず、シンクロスイッチ４１がＯＮとなると、色調コード露光回路５９の第１トランジスタ５９ａがＯＮとなって第２トランジスタ５９ｂがＯＮとなる。これにより、充電スイッチ４６がＯＦＦとなっていても、シンクロスイッチ４１がＯＮとなっている間にブロッキング発振回路が作動し、このときに生じる発振トランジスタ５１のコレクタ・エミッタ間電圧で発光ダイオード４５が発光する。
【００５９】
上記のようにして、シンクロスイッチ４１がＯＮとなっている間に発光ダイオード４５から放出された光は、ライトガイ４８を介して開口３１，３２に向けて照射される。そして、これらの開口３１，３２とライトガイド４８との間には、指定された色調に応じた位置にコード切り換え板４９がセットされているので、開口３１，３２のうちの指定した色調に応じて露呈された開口から発光ダイオード４５の光が写真フイルム２４の露光範囲の下側に達し、指定した色調に応じた個数のドットが色調コードとして写真フイルム２４に写し込まれる。
【００６０】
例えば、レバー１２をＢ／Ｗ位置にして撮影すれば、図７（ａ）に示すように、写真フイルム２４の露光範囲の下側には、色調コードとして２個のドット８０ａ，８０ｂがそれぞれ写し込まれる。また、レバー１２をＳ位置にして撮影すれば、図７（ｂ）に示すように、写真フイルム２４の露光範囲の下側には、色調コードとして１個のドット８０ａが写し込まれ、Ｃ位置にして撮影すれば、図７（ｃ）に示すように、色調コードとしてはドットが写し込まれない。
【００６１】
以上のようにして、各撮影毎にプリント色を指定しながら撮影を行い、全コマの撮影を終了後、ユーザは巻上げダイアル１３を連続的に回動操作して、全ての写真フイルム２４をカートリッジ２６に収納する。そして、このレンズ付きフイルムユニット２を現像所やＤＰＥ店に提出する。現像所等では、ユニット本体３から撮影済の写真フイルム２４を収納したカートリッジ２６を取り出す。
【００６２】
写真フイルム２４は、カートリッジ２６から引き出されてから所定の現像装置にかけられてカラー現像処理された後、再びカートリッジ２６に収納されてから、このカートリッジ２６ごとデジタルプリンタ６３にセットされる。デジタルプリンタ６３は、カートリッジ２６セットされると、カートリジ２６から現像済の写真フイルム２４を引き出して、これの先端をスキャナ６８に向けてに搬送する。
【００６３】
図８にデジタルプリンタ６３での処理を示すように、この搬送中に第１コードリーダ６６により、写真フイルム２４の先端側に設けられたデータトラック６０ａからＦＩＤコードが読み取られてコントローラ７１によって解読される。そして、コントローラ７１によってＦＩＤコードに色調フイルムデータが含まれているか否かが判断される。
【００６４】
この場合には、ＦＩＤコードに色調フイルムデータが含まれている写真フイルム２４であるから、色調フイルムデータに基づいてコントローラ７１は、処理を開始した写真フイルム２４に対しては第２コードリーダ６７によって読み取られるコードが色調コードとして認識するように制御を切り換える。
【００６５】
ＦＩＤコードが読み取られた後に、写真フイルム２４の第１番目の撮影コマがスキャナ６８のネガキャリアにセットされるまでの間に、この撮影コマの色調コードが第２コードリーダ６７によって読み取られ、この色調コードがコントローラ７１に記憶される。そして、第１番目の撮影コマがスキャナ６８のネガキャリアにセットされると、ＣＣＤが作動されて撮影コマのカラー画像が読み取られ、Ａ／Ｄ変換器７２を介して３色の画像データが画像メモリ６９に書き込まれる。この後、画像処理回路７０が画像メモリ６９から画像データを読み出すとともに、コントローラ７１は、先の色調コードの読み取り結果に基づいた指示を画像処理回路７０に与える。
【００６６】
例えば、図７（ａ）に示されるように、第１番目の撮影コマの色調コードとして２個のドット８０ａ，８０ｂが記録されていた場合には、コントローラ７１は、この撮影コマのカラー画像を黒白画像に変換する指示を画像処理回路７０に指示する。この指示により、画像処理回路７０は、読み出した各色の画像データを用いて、カラー画像を黒白の色調に変換した黒白画像の３色の処理済画像データを出力して、これを出力部６５の画像メモリ７３に書き込む。
【００６７】
この後、画像メモリ７３の処理済画像データに基づいてレーザユニット７４がドライバ７５で駆動され、カラー印画紙７８には第１番目の撮影コマの画像が黒白画像の潜像として記録される。
【００６８】
同様に、図７（ｂ）に示されるように、色調コードとして１個のドット８０ａだけが記録されていた場合には、コントローラ７１は、この撮影コマのカラー画像をセピア色に調色したセピア画像に変換する指示を画像処理回路７０に行う。これにより画像処理回路７０は、読み出した各色の画像データを用いて、カラー画像をセピア画像に変換した３色の処理済画像データを画像メモリ７３に書き込む。そして、この処理済画像データに基づいてレーザユニット７４が駆動されることにより、カラー印画紙７８にはセピア画像が潜像として記録される。
【００６９】
さらに、色調コードとして１個のドットも記録されていない場合には、コントローラ７１は、この撮影コマのカラー画像をカラー画像として出力する指示を画像処理回路７０に行う。これにより画像処理回路７０は、読み出した各色の画像データに対して、調色のための処理や黒白変換等を行わず、プリント用補正処理やネガ・ポジ反転処理だけ（通常処理）を施した処理済画像データを画像メモリ７３に書き込む。そして、この処理済画像データに基づいてレーザユニット７４が駆動されることにより、カラー印画紙７８にはカラー画像が潜像として記録される。
【００７０】
以下同様にして、各撮影コマ毎に色調コードが読み取られ、この色調コードに基づいた処理が各撮影コマのカラー画像に対して、その処理済画像データに基づいてカラー印画紙７８にカラー画像，黒白画像、セピア画像が潜像として記録される。
【００７１】
上記のようにして露光されたカラー印画紙７８の部分は、カラー用の現像処理工程に送られ、現像、定着、乾燥等が行われてから、各画像毎に切り離されてデジタルプリンタ６３から排紙される。
【００７２】
結果として、レバー１２をＢ／Ｗ位置にして撮影した撮影コマからは、図９（ａ）に示すように、黒白の画像が記録された黒白プリント８２が得られる。また。Ｓ位置にして撮影した撮影コマからは、図９（ｂ）に示すように、セピア色に調色されたセピアプリント８３が得られる。さらに、Ｃ位置にして撮影した撮影コマからは、図９（ｃ）に示すように、本来の色で発色されたカラープリント８４が得られる。
【００７３】
なお、ＦＩＤコードに色調フイルムデータが含まれいない場合で、第２コードリーダ６７によりドット（プリント範囲コード）が読み取られた場合には、そのドットの個数に応じて画像のプリント範囲（アスペクト比）が変更されたカラーのプリント写真が作成され、プリント範囲コードのドットがない場合には、標準サイズのカラーのプリント写真が作成される。もちろん、黒白フイルムからは黒白のプリント写真が作成される。
【００７４】
得られたプリント写真は、写真フイルム２４とともにユーザに渡される。写真フイルム２４にはカラー画像が記録されているので、ユーザは、得られたプリント写真と別の色調のプリント写真が必要であれば、返却された写真フイルム２４からのこれらの作成を依頼することができる。
【００７５】
上記実施形態では、カラー，黒白，セピアの色調を指定し、これらのプリント写真を作成する例について説明したが、色調の組み合わせはこれに限らない。例えば、カラーの他に、青色とセピアの色調の組み合わせや、黒白，青色，セピアの色調の組み合わせ、カラー，黒白，セピアの組み合わせでもよい。さらに、このような色調の組み合わせの情報を色調フイルムデータに持たせて、色調フイルムデータと色調コードによって決まる色調のプリント写真を作成するようにすることもできる。
【００７６】
また、製造時に色調フイルムデータと色調コードとの両方を潜像として写真フイルムに記録しておき、この写真フイルムを色調を指定する機構のないレンズ付きフイルムユニットに装填するようにすれば、そのレンズ付きフイルムユニットを黒白専用やセピア用専用のものとすることができる。もちろん、この場合にも写真フイルムとしてカラーフイルムを用いれば、カラーのプリント写真の作成を行うことができる。さらに、作成されるプリント写真がモノトーンの白黒プリント及び各種色調のプリント写真にかぎるのであれば、写真フイルムとして白黒フイルムを用いることもできる。
【００７７】
上記に説明したようにデジタルプリンタを用いてプリント写真を作成するようにした場合には、色調を変更する他の画像処理を行うことが容易にできるので、色調コードを画像加工用のコードとして用い、例えばポスタリゼーション，ソフトフォーカス等の写真加工処理を指定するようにしてもよく、画像の周囲にはめ込み合成する図柄を指定するようにしてもよい。もちろん、色調を指定することを示す色調フイルムデータ，写真加工処理を指定することを示すフイルムデータ，図柄を指定すること示すフイルムデータを選択的に写真フイルムに予め記録するようにしておけば、レンズ付きフイルムユニットの構成が基本的に同じにしながら、各種の処理を行うことができるようになる。
【００７８】
上記実施形態では、レンズ付きフイルムユニットで撮影された写真フイルムからプリント写真を作成する場合について説明したが、コンパクトカメラや一眼レフカメラに色調等のフイルムデータ記録された写真フイルムを用いるとともに、撮影コマ毎に色調コードが記録されるようにすれば、色調を変えたプリント写真等を作成することが可能である。また、このようにカメラの場合には、カメラ側で色調等のフイルムデータを記録するようにしてもよい。
【００７９】
【発明の効果】
以上に述べたように、本発明のレンズ付きフイルムユニットによれば、これに装填される写真フイルムにプリント写真の色調が指定されることを示すフイルムデータを予め記録しておき、この写真フイルムの各撮影コマ毎に操作部材の操作で指定した色調に応じた色調コードを記録するようにしたから、１つのレンズ付きフイルムユニットの一本の写真フイルムからカラー，白黒，セピアといった色調の異なるプリント写真を簡単に作成することができる。また、写真フイルムとしてカラーフイルムを用いれば、黒白や調色されたプリント写真が指定された撮影コマからでもカラーのプリント写真を作成することが可能となる。
【００８０】
また、本発明のプリント写真作成方法によれば、プリンタでプリント写真を作成する時に写真フイルムからプリント写真の色調が指定されることを示すフイルムデータが検出された場合に、撮影コマに対して記録された色調コードに基づいた色調のプリント写真を作成するように制御するから、現像処理の作業性が高くなる。
【図面の簡単な説明】
【図１】本発明の一実施形態を示す流れ図である。
【図２】レンズ付きフイルムユニットの外観図である。
【図３】本発明を実施したレンズ付きフイルムユニットを分解して示す分解斜視図である。
【図４】ストロボ回路と色調コード露光回路を示す回路図である。
【図５】写真フイルムに記録されているバーコードを示す説明図である。
【図６】デジタルプリンタの構成を示すブロック図である。
【図７】写真フイルムに写し込まれた色調コードを示す説明図である。
【図８】デジタルプリンタでの処理の流れを示すフローチャートである。
【図９】図７の各撮影コマから作成された色調の異なるプリント写真を示す説明図である。
【符号の説明】
３  レンズ付きフイルムユニット
１２  レバー
２４  写真フイルム
５９  色調コード露光回路
６０  バーコード
６３  デジタルプリンタ
６６，６７  コードリーダ
６８  スキャナ
７０  画像処理回路
８０ａ，８０ｂ  ドット
【図１】
0003766528.tif 000002
【図２】
0003766528.tif 000003
【図３】
0003766528.tif 000004
【図４】
0003766528.tif 000005
【図５】
0003766528.tif 000006
【図６】
0003766528.tif 000007
【図７】
0003766528.tif 000008
【図８】
0003766528.tif 000009
【図９】
0003766528.tif 000010